(57)【要約】【課題】本発明は、情報を記録した光ディスク装置以外の装置においては光ディスクそのものを識別できなくして光ディスクに記録された情報の機密を保護することができる光ディスク装置及びその記録再生方法を提供することを目的とする。【解決手段】光ディスクに情報を記録又は再生する記録再生手段と、本装置で記録した情報を本装置でのみ再生可能とする指示をコンピュータから入力する入力手段と、記録動作の際に前記指示を入力した場合、光ディスク内の規格で定められた固有情報領域から光ディスクの種類を示す第１固有情報を読出して退避し、記録再生手段を用いて所定の領域を識別不能とし、退避した第１固有情報及び本装置を示す第２固有情報を固有情報領域とは異なる光ディスクの所定領域に記録する。【選択図】図３
2008217924.tif 000002
【特許請求の範囲】
【請求項１】
光ディスクに情報を記録又は再生する記録再生手段と、
本装置で記録した情報を本装置でのみ再生可能とする指示をコンピュータから入力する入力手段と、
記録動作の際に前記指示を入力した場合、光ディスク内の規格で定められた固有情報領域から前記光ディスクの種類を示す第１固有情報を読出して退避し、前記記録再生手段を用いて前記固有情報領域を識別不能とし、前記退避した第１固有情報及び本装置を示す第２固有情報を前記固有情報領域とは異なる光ディスクの所定領域に記録する制御手段を備えた光ディスク装置。
【請求項２】
光ディスクの種類を示す第１固有情報及び前記光ディスクに情報を記録した装置を示す第２固有情報を規格で定められた第１固有情報を記録する固有情報領域とは異なる所定領域に格納した光ディスクの情報を再生する再生手段と、
再生動作の際、前記固有情報領域から前記光ディスクの種類を示す第１固有情報を読出せない場合、前記所定領域から前記第２固有情報を読出し、前記第２固有情報が本装置を示す場合、前記所定領域から前記第１固有情報を読出し、前記光ディスクの種類に応じて再生条件を設定して、前記光ディスクに記録された情報を再生する制御手段と、を具備する光ディスク装置。
【請求項３】
光ディスクに情報を記録又は再生する記録再生手段と、
本装置で記録した情報を本装置でのみ再生可能とする指示をコンピュータから入力する入力手段と、
記録動作の際に、前記指示を入力した場合、光ディスク内の規格で定められた固有情報領域から前記光ディスクの種類を示す第１固有情報を読出して退避し、前記記録再生手段を用いて前記固有情報領域を識別不能とし、前記退避した第１固有情報及び本装置を示す第２固有情報を前記固有情報領域とは異なる光ディスクの所定領域に記録し、
一方、再生動作の際、前記固有情報領域から前記第１固有情報を読出せない場合、前記所定領域から前記第２固有情報を読出し、前記第２固有情報が本装置を示す場合、前記所定領域から前記第１固有情報を読出し、前記光ディスクの種類に応じて再生条件を設定して、前記光ディスクに記録された情報を再生する制御手段と、を具備する光ディスク装置。
【請求項４】
前記光ディスクは、追記型の光ディスクであることを特徴とする請求項１乃至請求項３記載の光ディスク装置。
【請求項５】
前記制御手段は、前記コンピュータから入力した所定のインターフェースコマンドを検出したときに本装置で記録した情報を本装置でのみ再生可能とすることを特徴とする請求項１乃至請求項３記載の光ディスク装置。
【請求項６】
前記光ディスクが書換型の光ディスクのとき、
前記制御手段は、ホストコンピュータからの前記光ディスクを初期化するコマンドを入力したら、所定の記録領域に記録した光ディスクの固有情報を前記光ディスクの固有情報領域に再記録することを特徴とする請求項１乃至請求項３記載の光ディスク装置。
【請求項７】
光ディスクに情報を記録又は再生するとき、
記録動作の際に、本装置で記録した情報を本装置でのみ再生可能とする指示をコンピュータから入力し、
前記光ディスク内の規格で定められた固有情報領域から前記光ディスクの種類を示す第１固有情報を読出して退避し、前記記録再生手段を用いて前記所定の領域を識別不能とし、前記退避した第１固有情報及び本装置を示す第２固有情報を前記固有情報領域とは異なる光ディスクの所定領域に記録し、
一方、再生動作の際、前記固有情報領域から前記第１固有情報を読出せない場合、前記所定領域から前記第２固有情報を読出し、前記第２固有情報が本装置を示す場合、前記所定領域から前記第１固有情報を読出し、前記光ディスクの種類に応じて再生条件を設定して、前記光ディスクに記録された情報を再生することを特徴とする光ディスク装置の記録再生方法。
【発明の詳細な説明】
【技術分野】
【０００１】
本発明は光ディスクに記録したデータの機密を保護することができる光ディスク装置及びその記録再生方法に関するものである。
【背景技術】
【０００２】
パーソナルコンピュータなどの外部記録装置として光学的に記録又は再生ができる光ディスクに記録する光ディスク装置が用いられることが多い。この光ディスクは光ディスク装置に着脱可能であり、必要なとき必要な情報を記録して他の人に配布したり、所望に応じてデータのバックアップとして個人的利用のために記録して保管することができる。また、記録された情報は、配布された情報を再生し利用したり、データが破損したりしたときなど必要に応じてバックアップデータを再生してデータを復元することができて非常に便利である。この光ディスクに記録された情報は、記録した光ディスク装置での再生だけでなく他の光ディスク装置でも再生できるように互換性をもたせて記録するのが一般的である。
【０００３】
これらの光学的に記録可能な光ディスクの種類は複数の種類があり追記型の光ディスクであるＣＤ−Ｒ、ＤＶＤ−Ｒなどや書換型の光ディスクであるＣＤ−ＲＷ、ＤＶＤ±ＲＷ、ＤＶＤ−ＲＡＭなどが使用されている。
【０００４】
なお、光ディスクにはその内周領域に光ディスクの固有情報を予め記録している固有情報領域があり、この領域に光ディスク自体の媒体ＩＤなどが格納されている。
【０００５】
一方、記録された光ディスクが盗難にあったときには情報の流出や漏洩が生じるので、機密保護が必要な情報を保存したディスクは施錠ができる場所に保存するか、光ディスクに記録するときに記録した情報にパスワードなどで保護する方法を用いることがあった。
【０００６】
また、装置ＩＤと媒体ＩＤとを暗号化して記録し、再生のときに暗号を復号する鍵を入力して復号する方法があった（例えば、特許文献１）。
【特許文献１】特開平９−１３４３１１号公報
【発明の開示】
【発明が解決しようとする課題】
【０００７】
しかしながら従来の技術では、光ディスクに記録されている固有情報は残したまま暗号化などによってデータの機密を保護するものであり光ディスクそのものの種類は識別できるので、暗号の鍵を入手して改竄されたら、最悪のときには機密データが復元できる可能性もあり情報を流出する危険性を有する課題があった。
【０００８】
本発明は、情報を記録した光ディスク装置以外の装置においては光ディスクそのものを識別できなくして光ディスクに記録された情報の機密を保護し記録した装置でのみ情報を再生することができる光ディスク装置及びその記録再生方法を提供することを目的とする。
【課題を解決するための手段】
【０００９】
かかる問題を解決するため、本発明は、光ディスクに情報を記録又は再生する記録再生手段と、本装置で記録した情報を本装置でのみ再生可能とする指示をコンピュータから入力する入力手段と、記録動作の際に、前記指示を入力した場合、光ディスク内の規格で定められた固有情報領域から光ディスクの種類を示す第１固有情報を読出して退避し、記録再生手段を用いて固有情報領域を識別不能とし、退避した第１固有情報及び本装置を示す第２固有情報を固有情報領域とは異なる光ディスクの所定領域に記録し、一方、再生動作の際、固有情報領域から第１固有情報を読出せない場合、所定領域から第２固有情報を読出し、第２固有情報が本装置を示す場合、所定領域から第１固有情報を読出し、光ディスクの種類に応じて再生条件を設定して、光ディスクに記録された情報を再生する制御手段と、を具備するものである。
【発明の効果】
【００１０】
本発明は、光ディスクにレーザ光を照射し情報を記録及び読出し手段と、光ディスクの基板厚情報を識別する手段と、基板厚情報に基づいて前記光ディスクの固有情報領域を読出し読出した固有情報領域にランダムデータを記録して光ディスクを識別できなくするとともに、光ディスクの所定の記録領域に装置の固有情報とともに前記固有情報を記録することにより、従来の装置においては光ディスクの識別をできなくすることができる。また、情報を記録した装置では、光ディスクを識別できないときに所定の記憶領域を読取、読取った情報により光ディスクの固有情報及び情報を記録した装置を識別するので、情報を記録した光ディスク装置でのみ情報を再生するようにすることができるようになる。従って、情報を記録した光ディスクを紛失したり盗用されても光ディスクに記録した情報の機密保護を図ることができる。
【００１１】
また、本装置に接続されたパーソナルコンピュータで動作するソフトウェアを動作させてユーザが機密を要する情報を記録するときだけ本装置でのみ再生可能とする指示を本装置に送ることにより、本装置以外では光ディスク内の規格で定められた固有情報領域から光ディスクの種類を読出せなくする光ディスクとすることができるので、機密保護を必要とする光ディスクだけに適用し、機密保護を必要とする情報を記録した光ディスクを紛失したり盗用されても光ディスクに記録した情報の機密保護を図ることができる。
【発明を実施するための最良の形態】
【００１２】
請求項１記載の発明は、光ディスクに情報を記録又は再生する記録再生手段と、本装置で記録した情報を本装置でのみ再生可能とする指示をコンピュータから入力する入力手段と、記録動作の際に本装置でのみ再生可能とする指示を入力した場合、光ディスク内の規格で定められた固有情報領域から光ディスクの種類を示す第１固有情報を読出して退避し、記録再生手段を用いて所定の領域を識別不能とし、退避した第１固有情報及び本装置を示す第２固有情報を固有情報領域とは異なる光ディスクの所定領域に記録する制御手段を備えたものである。
【００１３】
この構成によれば、光ディスクにレーザ光を照射し情報を記録及び読出し手段と、光ディスクの基板厚情報を識別する手段と、基板厚情報に基づいて光ディスクの固有情報領域を読出し、読出した固有情報領域にランダムデータを記録して光ディスクを識別できなくするとともに、光ディスクの所定の記録領域に装置の固有情報とともに光ディスクの固有情報を記録することにより、従来の装置においては光ディスクの識別をできなくすることができる。また、情報を記録した装置では、光ディスクを識別できないときに所定の記憶領域を読取、読取った情報により光ディスクの固有情報及び情報を記録した装置を識別するので、情報を記録した光ディスク装置でのみ情報を再生するようにすることができるようになる。従って、情報を記録した光ディスクを紛失したり盗用されても光ディスクに記録した情報の機密保護を図ることができる。
【００１４】
また、本装置に接続されたパーソナルコンピュータで動作するソフトウェアを動作させてユーザが機密を要する情報を記録するときだけ本装置でのみ再生可能とする指示を本装置に送ることにより、本装置以外では光ディスク内の規格で定められた固有情報領域から光ディスクの種類を読出せなくする光ディスクとすることができるので、機密保護を必要とする光ディスクだけに適用し、機密保護を必要とする情報を記録した光ディスクを紛失したり盗用されても光ディスクに記録した情報の機密保護を図ることができる。
【００１５】
請求項２記載の発明は、光ディスクの種類を示す第１固有情報及び光ディスクに情報を記録した装置を示す第２固有情報を規格で定められた第１固有情報を記録する固有情報領域とは異なる所定領域に格納した光ディスクの情報を再生する再生手段と、再生動作の際、固有情報領域から光ディスクの種類を示す第１固有情報を読出せない場合、所定領域から第２固有情報を読出し、第２固有情報が本装置を示す場合、所定領域から第１固有情報を読出し、光ディスクの種類に応じて再生条件を設定して、光ディスクに記録された情報を再生する制御手段とを具備するものである。
【００１６】
この構成によれば、固有情報領域から光ディスクの種類を示す第１固有情報を読出せない場合、光ディスクの所定領域から第２固有情報を読出し、第２固有情報が本装置を示す場合、光ディスクの所定領域から第１固有情報を読出し、光ディスクの種類に応じて再生条件を設定して、光ディスクに記録された情報を再生することにより、再生しようとする光ディスクが、固有情報を読取れず機密保護を必要とする情報を記録した光ディスクと判別しかつ本光ディスクが本装置で記録したものであると識別したときだけ光ディスクの情報を再生できるようになるので、機密保護を必要とする情報を記録した光ディスクを紛失したり盗用されても光ディスクに記録した情報の機密保護を図ることができる。
【００１７】
請求項３記載の発明は、光ディスクに情報を記録又は再生する記録再生手段と、本装置で記録した情報を本装置でのみ再生可能とする指示をコンピュータから入力する入力手段と、記録動作の際に、本装置でのみ再生可能とする指示を入力した場合、光ディスク内の規格で定められた固有情報領域から光ディスクの種類を示す第１固有情報を読出して退避し、記録再生手段を用いて固有情報領域を識別不能とし、退避した第１固有情報及び本装置を示す第２固有情報を固有情報領域とは異なる光ディスクの所定領域に記録し、一方、再生動作の際、固有情報領域から第１固有情報を読出せない場合、所定領域から第２固有情報を読出し、第２固有情報が本装置を示す場合、所定領域から第１固有情報を読出し、光ディスクの種類に応じて再生条件を設定して、光ディスクに記録された情報を再生する制御手段とを具備したものである。
【００１８】
この構成によれば、光ディスクにレーザ光を照射し情報を記録及び読出し手段と、光ディスクの基板厚情報を識別する手段と、基板厚情報に基づいて光ディスクの固有情報領域を読出し読出した固有情報領域にランダムデータを記録して光ディスクを識別できなくするとともに、光ディスクの所定の記録領域に装置の固有情報とともに固有情報を記録することにより、従来の装置においては光ディスクの識別をできなくすることができる。また、情報を記録した装置では、再生しようとする光ディスクが、固有情報を読取れず機密保護を必要とする情報を記録した光ディスクと判別しかつ本光ディスクが本装置で記録したものであると識別したときだけ光ディスクの情報を再生できるようになるので、機密保護を必要とする情報を記録した光ディスクを紛失したり盗用されても光ディスクに記録した情報の機密保護を図ることができる。
【００１９】
また、本装置に接続されたパーソナルコンピュータで動作するソフトウェアを動作させてユーザが機密を要する情報を記録するときだけ本装置でのみ再生可能とする指示を本装置に送ることにより、本装置以外では光ディスク内の規格で定められた固有情報領域から光ディスクの種類を読出せなくする光ディスクとすることができるので、機密保護を必要とする光ディスクだけに適用し、機密保護を必要とする情報を記録した光ディスクを紛失したり盗用されても光ディスクに記録した情報の機密保護を図ることができる。
【００２０】
請求項４記載の発明は、請求項１乃至請求項３記載の発明において、光ディスクは、追記型の光ディスクであることを特徴とするものである。
【００２１】
この構成によれば、光ディスクを追記型の光ディスクとすることにより、光ディスクの識別情報が格納された固有情報領域を記録再生手段で識別不能、例えばレーザ光の照射によって記録された固有情報領域を爆縮することで読取できなくできるので、本光ディスクを装着して情報を再生するときに、固有情報を読取れず機密保護を必要とする情報を記録した光ディスクと判別しかつ本光ディスクが本装置で記録したものであると識別したときだけ光ディスクの情報を再生できるようになるので、機密保護を必要とする情報を記録した光ディスクを紛失したり盗用されても光ディスクに記録した情報の機密保護を図ることができる。
【００２２】
請求項５記載の発明は、請求項１乃至請求項３記載の発明において、制御手段は、コンピュータから入力した所定のインターフェースコマンドを検出したときに本装置で記録した情報を本装置でのみ再生可能とするものである。
【００２３】
この構成によれば、コンピュータから入力した所定のインターフェースコマンドを検出したときに本装置で記録した情報を本装置でのみ再生可能とすることにより、ユーザが本装置に接続されたパーソナルコンピュータで動作するアプリケーションソフトなどから機密保護を必要とする情報を記録するときにだけ本装置で記録した情報を本装置でのみ再生可能とするように光ディスクを記録し、また再生するときには、自動的に再生しようとする光ディスクが、固有情報を読取れず機密保護を必要とする情報を記録した光ディスクと判別しかつ本光ディスクが本装置で記録したものであると識別したときだけ光ディスクの情報を再生できるようになるので、機密保護を必要とする情報を記録した光ディスクを紛失したり盗用されても光ディスクに記録した情報の機密保護を図ることができる。
【００２４】
請求項６記載の発明は、光ディスクが書換型の光ディスクのとき、制御手段は、ホストコンピュータからの光ディスクを初期化するコマンドを入力したら、所定の記録領域に記録した光ディスクの固有情報を光ディスクの固有情報領域に再記録することを特徴とするものである。
【００２５】
この構成によれば、相変化型のような書換型の光ディスクのとき、ホストコンピュータからの光ディスクを初期化するコマンドを入力したら、所定の記録領域に記録した光ディスクの固有情報を光ディスクの固有情報領域に再記録することにより、光ディスクに記録した機密保護情報を消去するときに光ディスクの固有情報領域を初期状態に戻すことができるので、本光ディスクを初期化して再利用することができるようになる。
【００２６】
請求項７記載の発明は、光ディスクに情報を記録又は再生するとき、記録動作の際に、本装置で記録した情報を本装置でのみ再生可能とする指示をコンピュータから入力し、光ディスク内の規格で定められた固有情報領域から光ディスクの種類を示す第１固有情報を読出して退避し、記録再生手段を用いて所定の領域を識別不能とし、退避した第１固有情報及び本装置を示す第２固有情報を固有情報領域とは異なる光ディスクの所定領域に記録し、一方、再生動作の際、固有情報領域から第１固有情報を読出せない場合、所定領域から第２固有情報を読出し、第２固有情報が本装置を示す場合、所定領域から第１固有情報を読出し、光ディスクの種類に応じて再生条件を設定して、光ディスクに記録された情報を再生することを特徴とするものである。
【００２７】
この方法によれば、光ディスクにレーザ光を照射し情報を記録及び読出し手段と、光ディスクの基板厚情報を識別する手段と、基板厚情報に基づいて光ディスクの固有情報領域を読出し読出した固有情報領域にランダムデータを記録して光ディスクを識別できなくするとともに、光ディスクの所定の記録領域に装置の固有情報とともに固有情報を記録することにより、従来の装置においては光ディスクの識別をできなくすることができる。また、情報を記録した装置では、再生しようとする光ディスクが、固有情報を読取れず機密保護を必要とする情報を記録した光ディスクと判別しかつ本光ディスクが本装置で記録したものであると識別したときだけ光ディスクの情報を再生できるようになるので、機密保護を必要とする情報を記録した光ディスクを紛失したり盗用されても光ディスクに記録した情報の機密保護を図ることができる。
【００２８】
また、本装置に接続されたパーソナルコンピュータで動作するソフトウェアを動作させてユーザが機密を要する情報を記録するときだけ本装置でのみ再生可能とする指示を本装置に送ることにより、本装置以外では光ディスク内の規格で定められた固有情報領域から光ディスクの種類を読出せなくする光ディスクとすることができるので、機密保護を必要とする光ディスクだけに適用し、機密保護を必要とする情報を記録した光ディスクを紛失したり盗用されても光ディスクに記録した情報の機密保護を図ることができる。
【００２９】
以下、本発明を実施するための最良の形態について図面を参照しながら説明する。
【００３０】
（実施の形態）
図１は本発明の実施の形態に係わる光ディスク装置の斜視図、図２は本発明の実施の形態に係わる光ディスク装置の外観図で、筐体の天部を除去した図である。
【００３１】
図１および図２において光ディスク装置１には筐体２及びトレイ３があり図１、図２は筐体２からトレイ３を引き出した状態を示している。
【００３２】
筐体２は天部２ａと底部２ｂから構成されている。トレイ３には光ピックアップモジュール４が設けられている。光ピックアップモジュール４には光学系を構成した光ピックアップ５と光ディスクを回転させるスピンドルモータ４ａ及び制御回路を構成する回路基板４ｃが構成されている。
【００３３】
光ピックアップモジュール４に設けられた光ピックアップ５はスピンドルモータ４ａに対して近づいたり離れたりし、即ち光ディスクの半径方向に移動する。スピンドルモータ４ａには光ディスク装着部４ｂがあり、光ディスク装着部４ｂ装着された光ディスクを回転させる。
【００３４】
トレイ３の両側部にはレール部６があり、両側部共にレール７と光ディスク引き出し方向に摺動自在に嵌合している。また、レール７は筐体２両側部内面に設けられたレールガイド８とも光ディスク引き出し方向に摺動自在に嵌合しており、トレイ３は筐体２に対し挿抜自在である。トレイ３は筐体２から所定の長さだけ引き出されると筐体２に対して係止する。このときトレイ３に設けられた光ディスク装着部４ｂに光ディスクを装着もしくは取り外すことが可能である。トレイ３には押出部１２が設けられており、排出（イジェクト）動作時に押出部１２が筐体２を押すことにより、トレイ３は筐体２から飛び出す。
【００３５】
光ディスク装置１は、光ディスクがＣＤ−ＲＯＭ、ＣＤ−Ｒ／ＲＷの高速タイプもしくはＤＶＤ等に対応しており、データ転送速度が速いもので、２０Ｍｂｐｓ以上のデータ転送速度を有するものである。
【００３６】
筐体２の底部２ｂには制御回路を備える回路基板９が設けられており、トレイ３には制御回路を備える回路基板４ｃが設けられている。回路基板９と回路基板４ｃとは、フレキシブルプリント基板（ＦＰＣとも呼ぶ）１０で接続されており、このＦＰＣ１０によって回路基板９と回路基板４ｃとの電気的導通が図られる。
【００３７】
電力系としては、スピンドルモータ４ａや、光ピックアップモジュール４に設けられ光ピックアップ５を光ディスクの径方向に駆動するフィードモータ（図示せず）への電力供給及び光ピックアップ５に設けられたレーザ（図示せず）への電力供給が有り、信号としては、光ディスクから読取りまたは光ディスクに書き込むデータの信号や、スピンドルモータ４ａ、フィードモータ、レーザを制御する信号がある。
【００３８】
図３は、本発明の実施の形態に係わる光ディスク装置のブロック図である。
【００３９】
図３において、１１１はパーソナルコンピュータ、１は光ディスク装置、１５はインターフェースケーブル、２０はインターフェース、１１は光ディスク、４は光ピックアップモジュール、５は光ピックアップ、４ａはスピンドルモータ、２０５はフォーカス駆動手段、３１は対物レンズ、２０７はレーザ発光手段であるレーザ、２０８は反射光受光手段である検出器、２０９はキャリッジ、２１２はデジタルサーボコントローラ、２１３はデータ処理部、２１４はフォーカス制御手段、２１５はコマンド判別手段、２１７はレーザ制御手段、２１８は回転制御手段、２１９はスピンドルモータ駆動手段、２２０は記憶手段、２２２はディスク判別手段である。
【００４０】
パーソナルコンピュータ１１１と光ディスク装置１はインターフェースケーブル１５で接続され、インターフェース２３を介して光ディスク１１に記録されたデータをパーソナルコンピュータ１１１に出力したり、パーソナルコンピュータ１１１のデータを光ディスク１１出力する。
【００４１】
光ピックアップ手段である光ピックアップモジュール４は、レーザ２０７を有し、光ディスク１１へのデータの記録および光ディスク１１の情報の再生時にレーザ光を照射し、記録および再生を行う。
【００４２】
スピンドルモータ４ａは、光ディスク１１の回転を行う。
【００４３】
光ピクアップモジュール４はキャリッジ２０９が備えられ、移動手段であるフィードモータ（図示せず）によって光ピックアップモジュール４をスピンドルモータ４ａに近づいたり離れたりするように光ディスク１１の半径方向に移動させる。
【００４４】
レーザ２０７で出力されたレーザ光は、光ディスク１１の所定のフォーカス位置にフォーカスが合うようにフォーカスコイル制御手段２１４で制御されフォーカス駆動手段２０５でフォーカスを合わせられる。
【００４５】
光ディスク１１からのレーザ光の反射光は、反射光受光手段である検出器２０８で受光して光ディスク１１の情報がデジタルサーボコントローラ２１２に送られ、トラッキング誤差信号やフォーカス誤差信号が求められる。
【００４６】
ディスク判別手段２２２は、検出器２０８で検出した信号に基づいて、光ディスク１１の記録層までの距離を求める基板厚によって、光ディスク１１がＣＤかＤＶＤかなどの判別を行う。その結果に基づいて光ディスク１１の内周部に設けた光ディスク１１に関する固有情報領域により光ディスク１１の種類を確定して記録や再生の条件を設定する。
【００４７】
コマンド判別手段２１５は、パーソナルコンピュータ１１１から送られてくるコマンドを入力し、入力したコマンドが本装置で記録した情報を本装置でのみ再生可能とする指示するコマンドかどうかなどを判別する。
【００４８】
パーソナルコンピュータ１１１と光ディスク装置１とは、インターフェース２０で接続されており、パーソナルコンピュータ１１１からの制御信号たとえばＡＴＡＰＩパケットコマンドを基に光ディスク装置１はパーソナルコンピュータ１１１に応答し、光ディスク１１の情報を読み込んだり、光ディスク１１に情報を記録したりする。パーソナルコンピュータ１１１と光ディスク装置１はインターフェースケーブル１５で接続されている。また、インターフェース２０は、ＳＣＳＩインターフェースや、ＩＤＥインターフェース等である。
【００４９】
光ディスク１１に記録する情報が機密保護を必要とする情報のときには、ホストコンピュータ１１１から光ディスク装置１にＡＴＡＰＩパケットインターフェースやユーザユニークコマンドなどのコマンドで指示する。
【００５０】
記録する情報が機密を必要とする情報のときは、光ディスク１１に関する固有情報領域を読取ったら、読取った情報を記憶手段２２０に一時記憶し、光ディスク１１に関する情報を格納されている固有情報領域をレーザ光の照射によって記録面を乱し、本装置以外では、光ディスクを識別できなくする。
【００５１】
また、本装置の固有情報とともに、光ディスク１１の別の領域に光ディスク１１に関する固有情報を記録する。
【００５２】
この構成について図を用いて説明する。
【００５３】
図４は、本発明の実施の形態に係わる光ディスクの外観図及び物理的領域を示した図である。
【００５４】
図４（ａ）、図４（ｂ）に示すように光ディスク１１はセンターホール４０１から外周に向かって順に内周側非記録領域４０２、データ記録領域４０３、外周側非記録領域４０４の３つの領域がある。
【００５５】
図４（ｃ）に示すようにデータ記録領域４０３は、光ディスク１１に情報を記録するときにレーザ光のパワーを調整するパワー調整領域（ＰＣＡ）４０５、光ディスクへの記録に関する記録管理情報領域（ＲＭＡ）４０６、リードイン領域（ＬＩ）４０７、ユーザデータ領域４０８、代替領域４０９、リードアウト領域（ＬＯ）４１０を有している。
【００５６】
代替領域４０９は、前述の本装置の固有情報とともに、光ディスク１１の別の領域に光ディスク１１に関する固有情報を記録する領域である。
【００５７】
図４（ｄ）に示すようにＲＭＡ４０６には記録管理情報ＲＭＤ４１１を含み、光ディスク１１の記録状態を記録している。また、リードイン領域４０７には光ディスク１１の固有情報である物理フォーマット情報が記録されている。
【００５８】
例えば、ディスクカテゴリでは、ＤＶＤ−Ｒに対してはレコーダブルディスクを示す（００１０）を、ＤＶＤ−ＲＷに対しては再記録可能なディスクを示す（００１１）が記録されている。
【００５９】
従って、本発明の一例として物理フォーマット情報領域４１２の領域を読取って記憶手段２２０に読取った物理フォーマット情報領域４０２を退避し、物理フォーマット情報領域４０２の領域をレーザ光の照射で読めなくして、記憶手段２２０に退避した情報を光ディスクの別の領域である代替領域４０９に格納し、本装置以外の他の装置では情報を読めなくして秘密を要する情報を記録できるようにしている。
【００６０】
なお、ＲＭＡ４０６の領域は光ディスク内の複数の領域に配置してもよい。また、代替領域４０９も複数の領域を設けてよい。情報のセキュリティのレベルに応じてどの代替領域を利用するかの選択をする構成としてもよい。
【００６１】
図５は、本発明の実施の形態に係わる基板厚を求める説明図である。
【００６２】
図５（ａ）に示すように光ディスク１１の記録面は、ＤＶＤタイプ記録面５０２の表面からの基板厚は略０．６ｍｍであり、ＣＤタイプ記録面５０１の表面からの基板厚は略１．２ｍｍである。
【００６３】
この基板厚を求めるのに、フォーカス駆動手段２０５によって対物レンズ３１を光ディスク１１から離れたところから記録面５０２または５０１に向かって近づけていき、図５（ｂ）に示すように、フォーカス誤差信号（ＦＥ）のＳ字カーブのゼロクロス点の差であるＦＣ駆動差ＦＣＤ１、ＦＣＤ２を求めることで、ＣＤタイプの基板厚かＤＶＤタイプの基板厚かを判断する。
【００６４】
基板厚を求めるとそれぞれ規格に決められた位置の光ディスク１１に対応する記録位置を読取り記録または再生の動作が可能となる。
【００６５】
図６は、本発明の実施の形態に係わるパーソンルコンピュータと光ディスク装置のシーケンス図である。
【００６６】
パーソナルコンピュータ１１１に接続された光ディスク装置１に光ディスク１１が装着されると（Ｓ１０１）、光ディスク１１の判別を行い（Ｓ１０２）、パーソナルコンピュータ１１１に光ディスク識別情報を送る（Ｓ１０３）。
【００６７】
パーソナルコンピュータ１１１で動作するソフトウェアがデータの機密記録処理をするときは（Ｓ１０４）、機密記録をするコマンドとともにデータを送り（Ｓ１０５）、光ディスク装置１では機密記録をするコマンドを受信すると送られたデータを機密記録処理での記録を行う（Ｓ１０６）。
【００６８】
パーソナルコンピュータ１１１で動作するソフトウェアがデータの通常記録処理をするときは（Ｓ１０７）、記録をするコマンドとともにデータを送り（Ｓ１０８）、光ディスク装置１では通常記録をするコマンドを受信すると送られたデータを通常記録処理での記録を行う（Ｓ１０９）。
【００６９】
パーソナルコンピュータ１１１で動作するソフトウェアがデータの再生処理をするときは（Ｓ１１０）、再生をするコマンドを送り（Ｓ１１１）、光ディスク装置１では再生をするコマンドを受信すると、光ディスク１１から情報を読取り（Ｓ１１２）、読取った再生データをパーソナルコンピュータ１１１に送り（Ｓ１１３）、パーソナルコンピュータでは再生データを受信する（Ｓ１１４）。
【００７０】
パーソナルコンピュータ１１１が光ディスク装置１に装着された光ディスク１１を初期化するときには（Ｓ１１５）、初期化コマンドを光ディスク１１に送り（Ｓ１１６）、光ディスク装置１では、初期化コマンドを受信すると初期化処理を行い（Ｓ１１７）、初期化処理が正常に行ったか異常処理となったかをパーソナルコンピュータ１１１に応答し（Ｓ１１８）、パーソナルコンピュータ１１１は返答結果を受信する（Ｓ１１９）。
【００７１】
光ディスク装置１の処理が終了するときは（Ｓ１２０）、終了コマンドをパーソナルコンピュータ１１１に送り、パーソナルコンピュータ１１１では光ディスク装置１の終了の応答を受けて処理を終了する（Ｓ１２１）。
【００７２】
図７は、本発明の実施の形態に係わる記録処理のフローチャートである。
【００７３】
図７において、パーソナルコンピュータ１１１の指示で光ディスク装置１に装着された光ディスク１にデータの記録処理が開始されると（Ｓ３０１）、光ディスク装置１に光ディスク１１が有るか。即ち装着されているかどうかを判別し（Ｓ３０２）、光ディスク１１が装着されていなければ光ディスク１１が装着されるのを待つ。
【００７４】
光ディスク１１が有ると判断したら、装着された光ディスク１１の基板厚を判別し、基板厚がおよそ１．２ｍｍに相当すると判断したらＣＤ系の光ディスクと、また０．６ｍｍに相当すると判断したらＤＶＤ系の光ディスクと判別して（Ｓ３０３）、それぞれに相当する光ディスク内の規格で定められた固有情報領域を読出し、光ディスク１１であるメディアの固有情報を読込んで（Ｓ３０４）、光ディスク１１の種類を識別する（Ｓ３０５）。
【００７５】
パーソナルコンピュータ（以下ＰＣとも呼ぶ）１１１からのコマンドの入力が有るかどうか監視し（Ｓ３０６）、入力コマンドがあれば入力したコマンドが記録に関係したコマンドかどうかを判別し（Ｓ３０７）、記録に関係したコマンドが秘密記録処理かどうかを判別し（Ｓ３０８）、秘密記録処理をするときは、光ディスク１１の固有情報を記憶手段２２０に一時記憶格納し（Ｓ３０９）、次に本光ディスク装置１の装置ＩＤ情報を取得する（Ｓ３１０）。
【００７６】
読込んだ装置ＩＤ及び光ディスク装置１の固有情報は、光ディスク１１の所定の記録領域４０９に格納し（Ｓ３１１）、光ディスク１１の固有情報領域４０６は、レーザ光の照射によって記録面を乱し読取できなくする（Ｓ３１２）。
【００７７】
その後、所定のデータ記録をし（Ｓ３１３）、記録が終了したかどうかを判別して（Ｓ３１４）、全てのデータの記録が終了したかどうかを判別し（Ｓ３１５）、記録を続けるときは（Ｓ３１３）に戻り処理を続け、処理を終了するときは、秘密記録処理の終了処理を行う（Ｓ３１６）。
【００７８】
（Ｓ３０８）で秘密記録処理をせず通常処理を行うときは、所定のデータ記録をし（Ｓ３１７）、記録が終了したかどうかを判別して（Ｓ３１８）、全てのデータの記録が終了したかどうかを判別し（Ｓ３１９）、記録を続けるときは（Ｓ３１８）に戻り処理を続け、処理を終了するときは、通常記録処理の終了処理を行う（Ｓ３２０）。
【００７９】
パーソナルコンピュータ１１１から入力したコマンドが記録に関するコマンドでなければ（Ｓ３０７）、記録関連の処理を終了する（Ｓ３２１）。
【００８０】
図８は、本発明の実施の形態に係わる再生処理のフローチャートである。
【００８１】
図８において、パーソナルコンピュータ１１１の指示で光ディスク装置１に装着された光ディスク１１にデータの記録処理が開始されると（Ｓ２０１）、光ディスク装置１に光ディスク１１が有るか。即ち装着されているかどうかを判別し（Ｓ２０２）、光ディスク１１が装着されていなければ光ディスク１１が装着されるのを監視する。
【００８２】
光ディスク１１が有ると判断したら、装着された光ディスク１１の基板厚を判別し、基板厚がおよそ１．２ｍｍに相当すると判断したらＣＤ系の光ディスクと、また０．６ｍｍに相当すると判断したらＤＶＤ系の光ディスクと判別して（Ｓ２０３）、それぞれに相当する光ディスク内の規格で定められた固有情報領域を読み光ディスク１１が識別可能かどうか判別し（Ｓ２０４）、光ディスク１１の固有情報領域が読み出せずに識別できないときは、光ディスク１１の所定の記録領域４０９を読み込み（Ｓ２０５）、所定の記録領域４０９が読めるかどうか判別する（Ｓ２０６）。所定の記録領域４０９が読めないときには、秘密記録処理した光ディスク１１ではなく、破損した光ディスク１１と判断して異常処理として終了する（Ｓ２０７）。所定の記録領域４０９が読めるときには、秘密記録処理した光ディスク１１と判別して、読み出したデータから記録した記録装置の固有情報を取得し（Ｓ２０８）、記録した記録装置の固有情報と、本装置の固有情報を比較し（Ｓ２０９）、装置情報が一致しなければ装置不一致処理を行い（Ｓ２１１）、装置情報が一致したら（Ｓ２０９）、所定の記録領域のデータから光ディスク１１に関する情報を取得する（Ｓ２１０）。
【００８３】
そして、パーソナルコンピュータ（ＰＣ）１１１からのコマンド入力を監視し（Ｓ２１２）、コマンド入力があればコマンドが再生コマンドかどうか判別し（Ｓ２１３）、再生コマンドであれば、光ディスク装置１を再生条件に設定し（Ｓ２１４）、所定のデータ再生し（Ｓ２１５）、所定のデータの再生が終了したかどうかを判別し（Ｓ２１６）、所定のデータの再生が終了していなければ（Ｓ２１５）に戻り処理を続ける。
【００８４】
所定のデータの再生が終了すれば（Ｓ２１６）、全てのデータの再生が終了したかどうか判別し（Ｓ２１７）、終了していなければ（Ｓ２１５）に戻り処理を続ける。全てのデータの再生が終了すれば（Ｓ２１７）、再生処理を終了する（Ｓ２１８）。
【００８５】
（Ｓ２１３）で入力したコマンドが再生コマンドでなければ再生処理を終了する（Ｓ２１９）。
【００８６】
図９は、本発明の実施の形態に係わる初期化処理のフローチャートである。
【００８７】
光ディスク１１が相変化型である書換型の光ディスクのときは、光ディスク１１の情報を読取ったあと光ディスク１１の情報を消去して光ディスク１１を再度利用することができるように初期化処理を行う。
【００８８】
パーソナルコンピュータ１１１の指示で光ディスク装置１に装着された光ディスク１１にデータの初期化処理が開始されると（Ｓ４０１）、光ディスク装置１に光ディスク１１が有るか、即ち装着されているかどうかを判別し（Ｓ４０２）、光ディスク１１が装着されていなければ光ディスク１１が装着されるのを監視する。
【００８９】
光ディスク１１が有ると判断したら、装着された光ディスク１１の基板厚を判別し、基板厚がおよそ１．２ｍｍに相当すると判断したらＣＤ系の光ディスクと、また０．６ｍｍに相当すると判断したらＤＶＤ系の光ディスクと判別して（Ｓ４０３）、それぞれに相当する光ディスク内の規格で定められた固有情報領域を読み光ディスク１１が識別可能かどうか判別し（Ｓ４０４）、光ディスク１１の固有情報領域が読み出せずに識別できないときは、光ディスク１１の所定の記録領域４０９を読み込み（Ｓ４０５）、所定の記録領域４０９が読めるかどうか判別する（Ｓ４０６）。所定の記録領域４０９が読めないときには、秘密記録処理した光ディスク１１ではなく、破損した光ディスク１１と判断して異常処理として終了する（Ｓ４０７）。所定の記録領域４０９が読めるときには、秘密記録処理した光ディスク１１と判別して、読み出したデータから記録した記録装置の固有情報を取得し（Ｓ４０８）、記録した記録装置の固有情報と、本装置の固有情報を比較し（Ｓ４０９）、装置情報が一致しなければ装置不一致処理を行い（Ｓ４１０）、装置情報が一致したら（Ｓ４０９）、所定の記録領域のデータから光ディスク１１に関する情報を取得する（Ｓ４１１）。
【００９０】
そして、パーソナルコンピュータ（ＰＣ）１１１からのコマンド入力を監視し（Ｓ４１２）、コマンド入力があればコマンドが初期化処理コマンドかどうか判別し（Ｓ４１３）、初期化処理コマンドであれば、光ディスク１１の種類が書換型光ディスクかどうか判別し（Ｓ４１４）、光ディスク１１の種類が書換型光ディスクのときは記録及び再生条件を設定し）Ｓ４１５）、所定の領域に記録した固有情報を光ディスクの固有情報記録領域に記録する（Ｓ４１６）。そして、データ領域を消去処理し（Ｓ４１７）、初期化処理を終了する（Ｓ４１８）。光ディスクの種類が書換型光ディスクではなかったら（Ｓ４１４）、初期化できないと判断してエラー処理をし（Ｓ４０９）、初期化処理を終了する（Ｓ４１８）。
【００９１】
ＰＣから入力したコマンドが初期化処理コマンドでなければ（Ｓ４１３）、処理を終了する（Ｓ４１８）。
【００９２】
なお、本発明の実施の形態においては、物理フォーマット情報領域４１２を本装置以外の装置では読取できなくする構成で説明したが、他の領域、例えばＲＭＤ４１１を読取できなくする構成でも他の装置で光ディスクを認識できなくなり有効である。
【産業上の利用可能性】
【００９３】
本発明に係わる光ディスク装置及びその情報記録再生方法は、セキュリティを要する情報を記録した光ディスクは記録した装置でのみ情報の再生ができるようになるので、特にパーソナルコンピュータなどの外部記憶装置として情報を記録再生する光ディスク装置に有用である。
【図面の簡単な説明】
【００９４】
【図１】本発明の実施の形態に係わる光ディスク装置の斜視図
【図２】本発明の実施の形態に係わる光ディスク装置の外観図
【図３】本発明の実施の形態に係わる光ディスク装置のブロック図
【図４】本発明の実施の形態に係わる光ディスクの外観図及び物理的領域を示した図
【図５】本発明の実施の形態に係わる基板厚を求める説明図
【図６】本発明の実施の形態に係わるパーソンルコンピュータと光ディスク装置のシーケンス図
【図７】本発明の実施の形態に係わる記録処理のフローチャート
【図８】本発明の実施の形態に係わる再生処理のフローチャート
【図９】本発明の実施の形態に係わる初期化処理のフローチャート
【符号の説明】
【００９５】
１    光ディスク装置
２    筐体
３    トレイ
４    光ピックアップモジュール
４ａ    スピンドルモータ
４ｂ    光ディスク装着部
５    光ピックアップ
９    回路基板
１０    ＦＰＣ
１１    光ディスク
３１    対物レンズ
１１１    パーソナルコンピュータ
２０５    フォーカス駆動手段
２０７    レーザ
２０８    検出器
２１４    フォーカス制御手段
２１５    コマンド判別手段
２１７    レーザ制御手段
２２０    記憶手段
２２２    ディスク判別手段
４０３    記録領域
４０７    リードイン領域
４１２    物理フォーマット情報領域
【図１】
2008217924.tif 000003
【図２】
2008217924.tif 000004
【図３】
2008217924.tif 000005
【図４】
2008217924.tif 000006
【図５】
2008217924.tif 000007
【図６】
2008217924.tif 000008
【図７】
2008217924.tif 000009
【図８】
2008217924.tif 000010
【図９】
2008217924.tif 000011